(57)【特許請求の範囲】
【請求項１】
把手（７）を有する本体（２）と、本体（２）の軸（８）に枢着された操作用のレバー（３）と、把手（７）に対するレバー（３）の閉操作によって被覆電線（Ｌ）を挟持すると共に当該被覆電線（Ｌ）の絶縁被覆（Ｃ１，Ｃ２）を切断する挟持部（５）と、把手（７）に対するレバー（３）の閉操作を挟持部（５）の動作に変換するリンク機構（４）と、を備えた被覆電線のストリッパにおいて、
前記リンク機構（４）は、
一端側に連結孔（１６）が形成されていると共に、他端側に連結孔（１８）が形成されている第１リンク（１１）と、
前方に、先端部（１２ａ）を有し、且つ、長手方向中途部に、連結孔（２１）が形成されていると共に、前記先端部（１２ａ）とは反対側の後端部に、長手方向に延びる前方部に対して後方部が屈曲した略「く」字状の長孔（２２）が形成されている第２リンク（１２）と、
前方に、先端（１３ａ）を有し、且つ、長手方向中途部に、長手方向に延びる長孔（２４）が形成されていると共に、前記先端（１３ａ）とは反対側の後端部に、長手方向に対して略垂直な方向に延びる長孔（２５）が形成されている第３リンク（１３）と、
前方に、先端（１４ａ）を有し、且つ、長手方向中途部に、略長手方向に延びる長孔（２７）が形成されていると共に、前記先端（１４ａ）とは反対側の後端部に、連結孔（２８）が形成されている第４リンク（１４）と、からなり、
第１リンク（１１）の前記連結孔（１６）に、前記レバー（３）の中途部に設けられた軸（１７）が挿通され、第２リンク（１２）の前記連結孔（２１）、第３リンク（１３）の前記長孔（２４）、及び第４リンク（１４）の前記長孔（２７）に、本体（２）に設けられた前記軸（８）が挿通され、第１リンク（１１）の前記連結孔（１８）、第２リンク（１２）の前記長孔（２２）、第３リンク（１３）の前記長孔（２５）、及び第４リンク（１４）の前記連結孔（２８）に、連結ピン（１９）が挿通されており、
前記挟持部（５）は、本体（２）の前方に設けられた先端部（２ａ）と第２リンク（１２）の前記先端部（１２ａ）とで前記絶縁被覆（Ｃ１，Ｃ２）の基端側を挟持する第１挟持部（３０）と、第３リンク（１３）の前記先端（１３ａ）と第４リンク（１４）の前記先端（１４ａ）とで前記絶縁被覆（Ｃ１，Ｃ２）の引離側を挟持し更に前記第１挟持部（３０）から離反方向に移動して前記絶縁被覆（Ｃ１，Ｃ２）の前記引離側を前記基端側から引き離す第２挟持部（３１）と、からなり、
把手（７）に対する前記レバー（３）の閉操作の初期段階において、本体（２）に設けたストッパ（４０）が第４リンク（１４）に接触することによって、第４リンク（１４）と当該第４リンク（１４）に前記連結ピン（１９）で連結されている第３リンク（１３）とが前記離反方向に移動するのを阻止しながら、前記レバー（３）の動きに応じて第１リンク（１１）の他端側の前記連結孔（１８）に挿通された前記連結ピン（１９）を第３リンク（１３）の前記長孔（２５）に沿って移動させ、当該連結ピン（１９）に連結されている第２リンク（１２）及び第４リンク（１４）を、前記軸（８）を中心として、当該第２リンク（１２）の前記先端部（１２ａ）及び第４リンク（１４）の前記先端（１４ａ）が前記絶縁被覆（Ｃ１，Ｃ２）に近づく方向へ回動させることにより、本体（２）の前記先端部（２ａ）と第２リンク（１２）の前記先端部（１２ａ）とで前記絶縁被覆（Ｃ１，Ｃ２）の前記基端側を挟持させ且つ第３リンク（１３）の前記先端（１３ａ）と第４リンク（１４）の前記先端（１４ａ）とで前記絶縁被覆（Ｃ１，Ｃ２）の前記引離側を挟持させ、
把手（７）に対する前記レバー（３）の閉操作の中期段階において、第４リンク（１４）は、前記ストッパ（４０）からはずれて、前記離反方向に移動可能となり、前記レバー（３）の動きに応じて、第１リンク（１１）を介して前記連結ピン（１９）を第２リンク（１２）の前記長孔（２２）の前記前方部に沿って前記離反方向に移動させて、前記連結ピン（１９）に連結された第３リンク（１３）及び第４リンク（１４）を、当該第３リンク（１３）の前記先端（１３ａ）及び第４リンク（１４）の前記先端（１４ａ）同士が閉じたまま前記離反方向に移動させることにより、前記絶縁被覆（Ｃ１，Ｃ２）の前記引離側を前記基端側から引き離し、
把手（７）に対する前記レバー（３）の閉操作の最終段階において、前記レバー（３）の動きに応じて、さらに前記離反方向に移動する連結ピン（１９）により、第２リンク（１２）の前記長孔（２２）における屈曲した前記後方部の縁を押して、前記軸（８）を中心として、第２リンク（１２）の前記先端部（１２ａ）が前記絶縁被覆（Ｃ１，Ｃ２）から離れる方向に、当該第２リンク（１２）を回動させることにより、前記絶縁被覆（Ｃ１，Ｃ２）の前記基端側を挟持した状態を解除することを特徴とする被覆電線のストリッパ。
【請求項２】
第３リンク（１３）の前記先端（１３ａ）には下側切断刃（３６）が設けられ、第４リンク（１４）の前記先端（１４ａ）には上側切断刃（３７）が設けられており、
第４リンク（１４）の略長手方向に延びる前記長孔（２７）の前部（２７ａ）は、湾曲しており、
前記最終段階において、前記軸（８）は、第４リンク（１４）の前記長孔（２７）の前部（２７ａ）の縁を、当該第４リンク（１４）の前記先端（１４ａ）が前記絶縁被覆（Ｃ１，Ｃ２）から離れる方向へ押すことにより、前記絶縁被覆（Ｃ１，Ｃ２）の前記引離側を挟持した状態を緩めることを特徴とする請求項１に記載の被覆電線のストリッパ。
【発明の詳細な説明】
【０００１】
【発明の属する技術分野】
本発明は、絶縁材料で被覆された電線から絶縁被覆を剥離するためのストリッパに関するものである。
【０００２】
【従来の技術】
このような被覆電線のストリッパとしては、特公昭６１−２２５２８号公報に記載のものがある。
このストリッパは、一対の把手を有し、この把手の開度を小さくしたときに被覆電線を咬持する電線保持機構と、該被覆電線の絶縁被覆を切断して後方に引き出す切断刃を備えたものである。
このストリッパの把手の開度を小さくすると、電線保持機構が被覆電線を咬持して保持して移動を阻止した状態で、切断刃が被覆電線の絶縁被覆を切断して後方に引き出して、絶縁被覆が被覆電線の切口から剥離される。
【０００３】
【発明が解決しようとする課題】
前記従来技術では、切断刃が後方に移動し終えた状態にあっても電線保持機構は被覆電線を保持したままである。
ここで、切断刃で切断されて後方に引き出された絶縁被覆は被覆電線の芯である銅線から完全に抜け出すとは限らない。すなわち、剥離しようとする絶縁被覆が長い等の事情がある場合には、切断刃が絶縁被覆を後方に引き出しても絶縁被覆が基端側（剥離されない側の絶縁被覆、以下同様）から分離するだけで、芯である銅線から完全に抜け落ちないことがある。
【０００４】
このような場合であっても、例えば、被覆電線を手で持っておき、被覆電線から絶縁被覆を抜き取るようにストリッパ全体を引っ張って、分離した絶縁被覆を抜き取ることができれば便利である。
しかし、先に述べたように、前記従来技術では、切断刃が後方に移動し終えた状態にあっても電線保持機構は被覆電線を保持したままである。すなわち、従来技術においては、基端側の絶縁被覆を常に挟持している。
したがって、剥離しようとする絶縁被覆が被覆電線の芯から完全に抜け落ちず残った場合には、把手を開いて、電線保持機構と切断刃による挟持状態を共に解除して、その後、残った絶縁被覆を手で取り除くという作業が必要となり煩雑であった。
【０００５】
本発明はこのような問題に鑑みてなされたものであって、その課題は、剥離しようとする絶縁被覆が芯から完全に抜けなかった場合であっても、容易にその絶縁被覆を抜き取ることができるようにすることにある。
【０００６】
【課題を解決するための手段】
本発明は、上記課題を解決するために、次の技術的手段を採用した。すなわち、本発明の特徴は、把手を有する本体と、本体の軸に枢着された操作用のレバーと、把手に対するレバーの閉操作によって被覆電線を挟持すると共に当該被覆電線の絶縁被覆を切断する挟持部と、把手に対するレバーの閉操作を挟持部の動作に変換するリンク機構と、を備えた被覆電線のストリッパにおいて、前記リンク機構は、一端側に連結孔が形成されていると共に、他端側に連結孔が形成されている第１リンクと、前方に、先端部を有し、且つ、長手方向中途部に、連結孔が形成されていると共に、前記先端部とは反対側の後端部に、長手方向に延びる前方部に対して後方部が屈曲した略「く」字状の長孔が形成されている第２リンクと、前方に、先端を有し、且つ、長手方向中途部に、長手方向に延びる長孔が形成されていると共に、前記先端とは反対側の後端部に、長手方向に対して略垂直な方向に延びる長孔が形成されている第３リンクと、前方に、先端を有し、且つ、長手方向中途部に、略長手方向に延びる長孔が形成されていると共に、前記先端とは反対側の後端部に、連結孔が形成されている第４リンクと、からなり、第１リンクの前記連結孔に、前記レバーの中途部に設けられた軸が挿通され、第２リンクの前記連結孔、第３リンクの前記長孔、及び第４リンクの前記長孔に、本体に設けられた前記軸が挿通され、第１リンクの前記連結孔、第２リンクの前記長孔、第３リンクの前記長孔、及び第４リンクの前記連結孔に、連結ピンが挿通されており、前記挟持部は、本体の前方に設けられた先端部と第２リンクの前記先端部とで前記絶縁被覆の基端側を挟持する第１挟持部と、第３リンクの前記先端と第４リンクの前記先端とで前記絶縁被覆の引離側を挟持し更に前記第１挟持部から離反方向に移動して前記絶縁被覆の前記引離側を前記基端側から引き離す第２挟持部と、からなり、把手に対する前記レバーの閉操作の初期段階において、本体に設けたストッパが第４リンクに接触することによって、第４リンクと当該第４リンクに前記連結ピンで連結されている第３リンクとが前記離反方向に移動するのを阻止しながら、前記レバーの動きに応じて第１リンクの他端側の前記連結孔に挿通された前記連結ピンを第３リンクの前記長孔に沿って移動させ、当該連結ピンに連結されている第２リンク及び第４リンクを、前記軸を中心として、当該第２リンクの前記先端部及び第４リンクの前記先端が前記絶縁被覆に近づく方向へ回動させることにより、本体の前記先端部と第２リンクの前記先端部とで前記絶縁被覆の前記基端側を挟持させ且つ第３リンクの前記先端と第４リンクの前記先端とで前記絶縁被覆の前記引離側を挟持させ、把手に対する前記レバーの閉操作の中期段階において、第４リンクは、前記ストッパからはずれて、前記離反方向に移動可能となり、前記レバーの動きに応じて、第１リンクを介して前記連結ピンを第２リンクの前記長孔の前記前方部に沿って前記離反方向に移動させて、前記連結ピンに連結された第３リンク及び第４リンクを、当該第３リンクの前記先端及び第４リンクの前記先端同士が閉じたまま前記離反方向に移動させることにより、前記絶縁被覆の前記引離側を前記基端側から引き離し、把手に対する前記レバーの閉操作の最終段階において、前記レバーの動きに応じて、さらに前記離反方向に移動する連結ピンにより、第２リンクの前記長孔における屈曲した前記後方部の縁を押して、前記軸を中心として、第２リンクの前記先端部が前記絶縁被覆から離れる方向に、当該第２リンクを回動させることにより、前記絶縁被覆の前記基端側を挟持した状態を解除する点にある。
【０００７】
また、本発明では、第３リンクの前記先端には下側切断刃が設けられ、第４リンクの前記先端には上側切断刃が設けられており、第４リンクの略長手方向に延びる前記長孔の前部は、湾曲しており、前記最終段階において、前記軸は、第４リンクの前記長孔の前部の縁を、当該第４リンクの前記先端が前記絶縁被覆から離れる方向へ押すことにより、前記絶縁被覆の前記引離側を挟持した状態を緩めるものとすることができる。
さらに、本発明では、操作レバーと、当該レバーの操作によって被覆電線を挟持すると共に当該被覆電線の絶縁被覆を切断する挟持部と、レバー操作を挟持部の動作に変換する変換機構と、を備えたストリッパであって、前記挟持部は、前記絶縁被覆の基端側を挟持する第１挟持部と、前記絶縁被覆の引離側を挟持して前記第１挟持部から離反方向に移動して引離側の絶縁被覆を基端側から引き離す第２挟持部とを備え、前記変換機構は、前記第２挟持部が前記絶縁被覆を引き離した後に、前記第１挟持部がその被覆挟持状態を解除する方向に動作するように構成されている点にある。
【０００８】
この構成によれば、レバー操作により、第１挟持部が絶縁被覆の基端側を挟持し、第２挟持部が絶縁被覆の引離側を挟持して第１挟持部から離反方向に移動する。これにより絶縁被覆の引離側は基端側から分離される。
絶縁被覆の引離側が基端側から分離されると、第１挟持部の被覆挟持状態が解除される。よって、絶縁被覆の引離側が被覆電線の芯から完全に抜けていなくても、第１挟持部は絶縁被覆の基端側を挟持していないので、この状態で、ストリッパを被覆電線に対して引っ張れば、第２挟持部によって容易に絶縁被覆の引離側を抜き取ることができる。
【０００９】
また、本発明では、前記第２挟持部は被覆電線の絶縁被覆を切断するための切断刃を備え、前記変換機構は、第２挟持部が前記絶縁被覆を引き離した後に、当該第２挟持部がその挟持状態を緩めるように僅かに解除方向に動作するように構成されているものとすることができる。
第２挟持部が切断刃を備えている場合、切断刃が絶縁被覆を確実に切断するように、第２挟持部が被覆電線を挟持したときに切断刃が被覆電線の絶縁被覆から被覆電線の芯（銅線）まで到達するように挟持間隔を狭く設定し、強く挟持・切断するようにしておくのが好ましい。
【００１０】
しかし、このようにしておくと、第２挟持部が基端側から引離側の絶縁被覆を引き離した後であっても、被覆電線の芯に引離側の絶縁被覆が残っている場合には、その絶縁被覆と共に芯まで強く挟持していることになる。
完全に抜けなかった絶縁被覆を取り除くには、前述のようにストリッパごと引っ張ることが必要になるが、このとき第２挟持部は芯まで挟持しているので絶縁被覆を取り除く場合の抵抗になる。
この抵抗は、レバー操作で第２挟持部が離反移動する場合には、絶縁被覆が強制的に移動させられるのでさほど問題とならないが、手でストリッパを引き抜く場合には抵抗のために絶縁被覆を引き抜き難くなる。
【００１１】
前述のように、第２挟持部が前記絶縁被覆を引き離した後に、当該第２挟持部がその被覆挟持状態を緩めるように僅かに解除方向に動作すると、第２挟持部が絶縁被覆を挟持したまま、被覆電線の芯の挟持が解消され、容易に絶縁被覆を引き抜くことができる。
また、前記変換機構は、前記第１挟持部が閉じていない位置では第２挟持部の移動を阻止し、前記第１挟持部が略完全に閉じた位置となった場合に、第２挟持部の移動を許容するストッパを備えているものとすることができる。
【００１２】
前記従来のストリッパでは、機構の構成上、電線保持機構が完全に閉じていなくても切断刃が後方に移動可能であり、電線保持機構による被覆電線の保持が十分でない状態で切断刃が後方移動を開始し、確実に切断できないことがあった。
本発明のように、第１挟持部が閉じていない位置での第２挟持部の移動を阻止するストッパを設けることで、第１挟持部が確実に被覆電線を挟持した後に、第２挟持部の離反移動が開始するので、確実な切断を行うことができる。
また、前記第１挟持部は、被覆電線の挟持間隔を調整するための間隔調整部を備えているものとすることができる。
【００１３】
被覆電線は、その種類によって太さが異なるので、被覆電線の太さに応じて、第１挟持部の挟持間隔を間隔調整部によって調整すると、様々な被覆電線を確実に挟持することができる。第１挟持部の挟持が緩いと絶縁被覆をうまく剥離できない場合があるが、確実に被覆電線を挟持すると確実に絶縁被覆を剥離することができる。
【００１４】
【発明の実施の形態】
以下、本発明に係るストリッパ１の実施形態を図面に基づいて説明する。
図１〜図１２は第１実施形態を示しており、このストリッパ１は、図１４，１５に示すような被覆電線Ｌの絶縁被覆Ｃ１，Ｃ２を剥離させるのに適したものである。この被覆電線Ｌは、第１絶縁被覆Ｃ１によってそれぞれ被覆された３本（複数）の銅線Ａがさらに第２絶縁被覆Ｃ２によってまとめて被覆されて一本の被覆電線Ｌとして構成されたものである。
【００１５】
このストリッパ１は、本体２と、本体２の枢着された操作用のレバー３と、操作用のレバー３の揺動操作によって動作するリンク機構（変換機構）４と、リンク機構４と本体２により被覆電線Ｌを挟持し絶縁被覆Ｃ１，Ｃ２を剥離するための挟持部５とを備えて主構成されている。
前記本体２は、把手７を備えており、前記レバー３とともに手で掴んで、レバー３を開閉操作することができる。
前記レバー３は、本体２に設けられたた軸８に対して取り付けられており、横方向の軸心廻りに揺動自在である。また、レバー３は、把手７に対して開き方向（図１において左方向）にバネ９によって付勢されている。
【００１６】
前記リンク機構４は、第１リンク１１、第２リンク１２、第３リンク１３、第４リンク１４の４つのリンクを有している。図２にも示すように、第１リンク１１は、一端側１１ａに連結孔１６を有しており、この連結孔１６がレバー３の中途部に設けられた軸１７に挿通されることにより、第１リンク１１が軸１７廻りに回動自在に連結されている。また、第１リンク１１の他端側１１ｂにも連結孔１８を有しており、第１リンク１１は、この連結孔１８に挿通固定された連結ピン１９によって他のリンク１２，１３，１４と連結されている。
【００１７】
第２リンク１２は、図３にも示すように、長手方向中途に前記軸８が挿通される連結孔２１を有し、この軸８廻りに揺動自在に設けられている。また、第２リンク１２の後端部には長孔２２が形成されている。この長孔２２は第１リンク１１の連結ピン１９のガイド孔であり、この長孔２２に沿って連結ピン１９が移動自在である。この長孔２２は、前方側（図１及び図３において左側）が第２リンク１２の長手方向に沿って延びており、その後方側は斜め後ろ方向に延びており、全体として略「く」字状に屈曲して形成されている。
【００１８】
第３リンク１３は、図４にも示すように、長手方向中途部に長手方向に延びる長孔２４を有している。この長孔２４には軸８が挿通され、軸８に対して第３リンク１３が前後方向に移動自在とされる。また、第３リンク１３の後端部は下方に突出状に形成され、この後端部には略上下方向に延びる長孔２５が形成されている。この長孔２５は後方にやや膨らむように湾曲している。この長孔２５には連結ピン１９が挿通され、連結ピン１９がこの長孔２５に沿って移動自在とされる。
【００１９】
第４リンク１４は、図５にも示すように、長手方向中途部に略長手方向に延びる長孔２７を有している。この長孔２７は前部２７ａがやや下方に湾曲している。この長孔２７には軸８が挿通され、軸８に対して第３リンク１３が前後方向に移動自在とされる。また、第４リンク１４の後端部も下方突出状に形成され、この後端部には連結孔２８が形成されている。この連結孔２８には連結ピン１９が挿通され、第４リンク１４はこの連結ピン１９に対して回動自在に保持される。
前記挟持部５は、本体２の先端部２ａと第２リンク１２〜第４リンク１４の先端部及び先端（図１及び図３〜図５において左側）１２ａ，１３ａ，１４ａで構成されている。この挟持部５は、本体２の先端部２ａと第２リンク１２の先端部１２ａとで構成される第１挟持部３０と、第３リンク１３の先端１３ａと第４リンク１４の先端１４ａとで構成される第２挟持部３１とを備えている。
【００２０】
第１挟持部３０は、被覆電線Ｌの基端側（例えば、図１５において左側の第２絶縁被覆Ｃ２）を挟持するためのものであり、上方突出状に形成された本体２の先端部２ａの上面を受面３３とし、下方突出状に形成された第２リンク１２の先端部１２ａの下端を押さえ部３４として、これらの受面３３と押さえ部３４とで被覆電線Ｌを挟み込む。
図８に示すように、受面３３と押さえ部３４には、被覆電線Ｌの第１絶縁被覆Ｃ１を挟持するのに適した挟持間隔となるように設定された第１受面３３ａ・第１押さえ部３４ａと、第２絶縁被覆Ｃ２を挟持するのに適した挟持間隔となるように設定された第２受面３３ｂ・第２押さえ部３４ｂとがある。
【００２１】
第１受面３３ａは第２絶縁被覆Ｃ２より細い第１絶縁被覆Ｃ１を挟み込むために、第２受面３３ｂより上方に位置している。また、同様の理由で、第１押さえ部３４ａは第２押さえ部３４ｂより下方に位置している。
第２挟持部３１は、絶縁被覆Ｃ１，Ｃ２を基端側から切断して引き抜くためのものであり、第３リンク１３の先端１３ａに取り付けられた下側切断刃３６と、第４リンク１４の先端１４ａに取り付けられた上側切断刃３７とを有している。このように第２挟持部３１は切断刃３６，３７を有しているため剥離された絶縁被覆Ｃ１，Ｃ２を掴み持つ機能は少ないが、ここでは、切断のための挟み込みも「挟持」という。また、例えば下側切断刃３６を第１挟持部３０（本体２の先端部２ａ）に設けた場合には、第４リンク１４の先端１４ａに切断刃を設ける必要はなく、この場合の第４リンク１４の先端１４ａは専ら剥離された絶縁被覆Ｃ１，Ｃ２を押さえる役割を果たし、この場合も当然「挟持」に含まれる。
【００２２】
図９に示すように、下側切断刃３６には、第１絶縁被覆Ｃ１を切断するのに適した形状の第１下側切断刃３６ａと第２絶縁被覆Ｃ２を切断するのに適した形状の第２下側切断刃３６ｂとを備えている。
また上側切断刃３７にも、第１絶縁被覆Ｃ１を切断するのに適した形状の第１上側切断刃３７ａと第２絶縁被覆Ｃ２を切断するのに適した形状の第２上側切断刃３７ｂとを備えている。
被覆電線Ｌの第１絶縁被覆Ｃ１を剥離するには、図１の状態のストリッパ１の挟持部５の間に被覆電線Ｌを入れて、レバー３を閉操作（図１において右側移動）すると、第１挟持部３０が被覆電線Ｌを挟み込むと共に、第２挟持部３１が第２絶縁被覆Ｃ２を切断する。そして、第２挟持部３１が後方（離反方向）に移動して切断された第２絶縁被覆Ｃ２を引き抜く。
【００２３】
このときの、リンク機構４の動作を、図１及び図１０〜図１２に基づいて説明する。
まず、図１の状態からレバー３を閉操作すると、レバー３の閉操作の初期段階においては、図１０に示すように、レバー３の揺動により第１リンク１１が押し上げられる。すなわち、第１リンク１１に設けられた連結ピン１９は、第３リンク１３の長孔２５に沿って上方に移動する。連結ピン１９が上昇すると、この連結ピン１９に連結されている第２リンク１２と第４リンク１４が軸８廻りに反時計方向に回動する。すなわち、第２リンク１２及び第４リンク１４の後端は上昇し、先端部１２ａ，先端１４ａは下降する。これによって被覆電線Ｌが第１挟持部３０によって挟持され、第２挟持部３１が第２絶縁被覆Ｃ２を切断する。
【００２４】
ここで、第３リンク１３及び第４リンク１４（第２挟持部３１）は、長孔２４，２７が設けられているので後方移動可能である（すなわち第２挟持部３１は後方移動可能である）。しかし、第４リンク１４の後端が上昇している間（すなわち先端１４ａが下降している間）においては、第４リンク１４の後方移動は、本体２に設けられたストッパ４０によって阻止されている。このストッパ４０は、横軸廻りに回動自在なローラにより構成されている。第４リンク１４の後端がストッパ４０より下方に位置している間は、第４リンク１４の後端がこのストッパ４０に接触することにより後方移動できない。そして、第３リンク１３は第４リンク１４と連結ピン１９で連結されているから、第４リンク１４が後方移動しない以上、第３リンク１３は後方移動しない。すなわち、第２挟持部３１は、切断刃３６，３７が略完全に閉じるまで後方移動しない。
【００２５】
図１０に示すように、第４リンク１４の後端は、第２挟持部３１が略完全に閉じたときにストッパ４０の上側に来る。図１０の位置で第２挟持部３１は後方移動可能になる。
図１０の状態からさらにレバー３を閉じたレバー３の閉操作の中期段階においては、図１１に示すように、第１リンク１１の連結ピン１９は、第２リンク１２の長孔２２に沿って後方に移動する。連結ピン１９の移動に伴って、連結ピン１９に連結された第３リンク１３及び第４リンク１４が先端１３ａ，１４ａを閉じたまま後方に移動する。したがって、剥離される側の第２絶縁被覆Ｃ２が、図１５のように、基端側から引き離される。
【００２６】
レバー３の閉操作の最終段階においては、図１２に示すように、連結ピン１９はさらに後方に移動しようとする。ここで、第２リンク１２の長孔２２の後方部は上方に屈曲しているため、連結ピン１９の後方移動は第２リンク１２の後端を押し下げる。すなわち、第２リンク１２は軸８を中心として時計回りに回転し、第２リンク１２の先端部１２ａ（押さえ部３４）は上方に移動する。これにより第１挟持部３０が第２絶縁被覆Ｃ２を挟持している状態が解除される。
また、第３リンク１３の長孔２４は直線状に形成されているから第３リンク１３（及びその先端１３ａ）は真っ直ぐ後方に移動するのに対し、第４リンク１４の長孔２７の前部２７ａは下方に屈曲しているため、この長孔２７の前部２７ａと軸８の位置が一致したときには第４リンク１４の先端１４ａが上昇する。したがって、下側切断刃３６に対して上側切断刃３７がわずかに上昇して両切断刃３６，３７の間隔が広くなる。
【００２７】
図１５のように第２絶縁被覆Ｃ２を剥離する場合、両切断刃３６，３７は第１絶縁被覆Ｃ１の厚さとほぼ等しいかそれより小さくなるまで互いに接近して第２絶縁被覆Ｃ２を切断する。その後、両切断刃３６，３７は後方に移動して、引き離される側の第２絶縁被覆Ｃ２を引き抜く。ただし、第２絶縁被覆Ｃ２が完全に第１絶縁被覆Ｃ１から抜け出るとは限らず、そのような場合、使用者はレバー３と把手７を握ったままストリッパ１を後方に引っ張ればよい。このとき両切断刃３６，３７が第１絶縁被覆Ｃ１と接触するぐらい近づいていると切断刃３６，３７と第１絶縁被覆Ｃ１とが接触して引き抜く際に抵抗となる。
【００２８】
しかし、このストリッパ１では、両切断刃３６，３７の間隔はレバー３の閉操作の最終段階で広がって、第１絶縁被覆Ｃ１（第２絶縁被覆Ｃ２に対する芯）の厚さよりは大きく、第２絶縁被覆Ｃ２の厚さよりは小さい間隔となり、小さな抵抗で第２絶縁被覆Ｃ２を引き抜くことができる。
なお、以上のことは銅線Ａを芯として第１絶縁被覆Ｃ１を剥離する場合も同様である。
図１３は、本発明の第２実施形態を示している。このストリッパ１が第１実施形態と異なる点は、第１挟持部３０の挟持間隔が調整自在とされている点にある。第１挟持部３０を構成する第２リンク１２の先端部１２ａには、押さえ部３４を有する調整板（間隔調整部）５０が取り付けられている。この調整板５０は、上下方向の長孔５１を有しており、この長孔５１に挿通されるネジ５２によって第２リンク１２の先端部１２ａに取り付けられている。このネジ５２を緩めて調整板５０を上下移動させることで、受面３３と押さえ部３４との間隔、すなわち挟持間隔を調整することができる。挟持間隔を調整可能であるので、被覆電線Ｌの太さに応じて適切な間隔に挟持間隔を調整でき、被覆電線Ｌの保持が確実になる。
【００２９】
なお、調整板５０を、本体２の先端部２ａに取り付けて受面３３の位置を調整するようにしてもよい。
【００３０】
【発明の効果】
本発明によれば、変換機構が、前記第２挟持部が前記絶縁被覆を引き離した後に、前記第１挟持部がその被覆挟持状態を解除する方向に動作するように構成されているので、剥離しようとする絶縁被覆が芯から完全に抜けなかった場合であっても、容易にその絶縁被覆を抜き取ることができる。
【図面の簡単な説明】
【図１】  本発明の第１実施形態に係るストリッパの側面図である。
【図２】  第１リンクの側面図である。
【図３】  第２リンクの側面図である。
【図４】  第３リンクの側面図である。
【図５】  第４リンクの側面図である。
【図６】  ストリッパの平面図である。
【図７】  ストリッパの底面図である。
【図８】  ストリッパの正面図である。
【図９】  ストリッパの背面図である。
【図１０】  レバーの閉操作の初期段階におけるリンク機構の状態図である。
【図１１】  レバーの閉操作の中期段階におけるリンク機構の状態図である。
【図１２】  レバーの閉操作の最終段階におけるリンク機構の状態図である。
【図１３】  第２実施形態に係るストリッパの正面図及び側面図である。
【図１４】  被覆電線の斜視図である。
【図１５】  被覆電線の側面図である。
【符号の説明】
１  ストリッパ
２  本体
３  レバー
４  リンク機構（変換機構）
５  挟持部
１１  第１リンク
１２  第２リンク
１３  第３リンク
１４  第４リンク
３０  第１挟持部
３１  第２挟持部
４０  ストッパ
５０  調整板
Ｌ  被覆電線
Ｃ１  第１絶縁被覆
Ｃ２  第２絶縁被覆
Ａ  銅線
【図１】
0004162330.tif 000002
【図２】
0004162330.tif 000003
【図３】
0004162330.tif 000004
【図４】
0004162330.tif 000005
【図５】
0004162330.tif 000006
【図６】
0004162330.tif 000007
【図７】
0004162330.tif 000008
【図８】
0004162330.tif 000009
【図９】
0004162330.tif 000010
【図１０】
0004162330.tif 000011
【図１１】
0004162330.tif 000012
【図１２】
0004162330.tif 000013
【図１３】
0004162330.tif 000014
【図１４】
0004162330.tif 000015
【図１５】
0004162330.tif 000016